(57)【特許請求の範囲】
【請求項１】
基部に対して水平方向に回動自在に軸支された掛竿を有し、該掛竿は第１の竿部内に第２の竿部を継ぎ足して伸縮自在とした吊掛け具において、
前記第１の竿部の先端部には、上方を開放した断面コ字状の張出部を備え、該張出部の基部の両側には内側に向けて軸部が形成されており、
前記第２の竿部は、両側面に前記軸部と嵌合する長手方向に沿った溝部が形成されており、該溝部の側端部に軸受部が設けられており、
前記第１の竿部内から前記第２の竿部を伸長した状態で、前記軸部を中心に前記軸受部を回動することにより、前記第２の竿部を前記第１の竿部の先端部に対し上方に回動可能としたことを特徴とする吊掛け具。
【請求項２】
前記第２の竿部は前記第１の竿部に対して縮少した状態、伸長した状態、回動した状態の各状態において、クリック感を伴う係止を可能としたことを特徴とする請求項１に記載の吊掛け具。
【請求項３】
前記基部に対して複数本の前記掛竿を軸支したことを特徴とする請求項１又は２に記載の吊掛け具。
【請求項４】
前記第１の竿部には被乾燥物を係止するためのクリップ状の係止部を設けたことを特徴とする請求項１〜３の何れか１項に記載の吊掛け具。
【発明の詳細な説明】
【技術分野】
【０００１】
本発明は、例えば台所の壁に取り付け、濡れた布巾やタオル等を掛けたり、内部を洗浄したペットボトル、牛乳パック等の容器を掛けて、乾燥させるために用いる吊掛け具に関するものである。
【背景技術】
【０００２】
特許文献１には、図９に示すような水平方向を向く複数の掛竿Ａを個々に水平方向に回動可能とする吊掛具Ｂが開示されており、この吊掛具Ｂは主として、掛竿Ａに濡れた布巾等を掛けて乾燥させるために使用する。
【０００３】
また、ペットボトル等の容器の開口部を掛竿Ａに差し込み、容器の内部を乾燥させるために使用することもできる。
【先行技術文献】
【特許文献】
【０００４】
【特許文献１】特開２００４−１３００２３号公報
【発明の概要】
【発明が解決しようとする課題】
【０００５】
しかし、特許文献１に示す吊掛具Ｂは掛竿が長いため、倉庫等における保管場所や販売時の収納ケースが大きくなり、販売、輸送コストが増加するという問題がある。また、吊掛具Ｂを台所に設置した場合に、長い掛竿が不使用時において邪魔となり、狭い台所においては無駄な空間を占める場合がある。
【０００６】
更に、掛竿Ａにペットボトルの容器を開口部を差し込むことにより、内部を乾燥させる場合では、容器の開口部が掛竿Ａと平行となるため、容器の内部の水滴は落下せずに、完全な乾燥に至るまでに時間を要することになる。
【０００７】
本発明の目的は、上述の課題を解消し、掛竿を伸縮かつ屈曲自在とすると共に、布巾等の乾燥はもとより、ペットボトル等の容器内部の乾燥にも適する吊掛け具を提供することにある。
【課題を解決するための手段】
【０００８】
上記目的を達成するための本発明に係る吊掛け具は、基部に対して水平方向に回動自在に軸支された掛竿を有し、該掛竿は第１の竿部内に第２の竿部を継ぎ足して伸縮自在とした吊掛け具において、前記第１の竿部の先端部には、上方を開放した断面コ字状の張出部を備え、該張出部の基部の両側には内側に向けて軸部が形成されており、前記第２の竿部は、両側面に前記軸部と嵌合する長手方向に沿った溝部が形成されており、該溝部の側端部に軸受部が設けられており、前記第１の竿部内から前記第２の竿部を伸長した状態で、前記軸部を中心に前記軸受部を回動することにより、前記第２の竿部を前記第１の竿部の先端部に対し上方に回動可能としたことを特徴とする。
【発明の効果】
【０００９】
本発明に係る吊掛け具は、掛竿が伸縮可能なため、不使用時にはコンパクトな形状に変形させることができる。更に、掛竿の一部が上方に回動可能なため、ペットボトル等の容器内部の乾燥にも適した形状に変形させることができる。
【図面の簡単な説明】
【００１０】
【図１】実施例の吊掛け具の斜視図である。
【図２】断面図である。
【図３】第１の竿部の構成図である。
【図４】第２の竿部の構成図である。
【図５】掛竿を伸長した状態の斜視図である。
【図６】布巾を掛けた状態の斜視図である。
【図７】第２の竿部を上方に回動した状態の斜視図である。
【図８】第２の吊竿にペットボトルを掛けた状態の斜視図である。
【図９】従来の掛け具の斜視図である。
【発明を実施するための形態】
【００１１】
本発明を図１〜図８に図示の実施例に基づいて詳細に説明する。
図１は実施例の斜視図、図２は断面図を示している。吊掛け具は合成樹脂材から成り、吊掛け具の基部１内には支軸２が設けられており、この支軸２により複数本、例えば３本の掛竿３が水平方向に回動自在に軸支されている。また、基部１の背面には鍵孔状の２つの孔部１ａ、１ｂが形成されている。
【００１２】
掛竿３は第１の竿部４に第２の竿部５が収納可能とされ伸縮自在に継ぎ足しされている。第１の竿部４の根元には、布巾等の落下を防止するためのクリップ状の係止部４ａが設けられ、第２の竿部５の先端部には布巾等の滑り落ちを防止するための滑止部５ａが一体に成形されている。
【００１３】
図３は第１の竿部４の構成図であり、（ａ）は斜視図、（ｂ）は平面図、（ｃ）は底面図、（ｄ）は縦断面図、（ｅ）は拡大した横断面図である。第１の竿部４の主軸４ｂは上面を円弧状とし、図３（ｅ）に示すように下面を開口した断面略Ｕ字状とする。
【００１４】
基端部には支軸２に挿通する軸孔４ｃが設けられ、主軸４ｂの奥部にはストッパ壁４ｄが設けられている。また、主軸４ｂの開口部の両側には一対の係止片４ｅが形成されている。先端部は切り口４ｆを設けて、上方を開放した断面コ字状の張出部４ｇとされている。張出部４ｇの基部の両側には内側に向けて軸部４ｈが形成されており、底部には２個の係止孔４ｉに挟まれた橋絡部４ｊが設けられている。
【００１５】
図４は第２の竿部５の構成図であり、（ａ）は斜視図、（ｂ）は平面図、（ｃ）は底面図、（ｄ）は側面図、（ｅ）は拡大した横断面図である。第２の竿部５の上面は円弧状とされ、両側面には長手方向に沿って溝部５ｂが形成されている。
【００１６】
それぞれの溝部５ｂの先端側には溝部５ｂ内に膨らむ第１の膨み部５ｃ、溝部５ｂの第１の竿部４への挿入端５ｄ側には外側に膨らむ第２の膨み部５ｅが設けられている。これらの第１の膨み部５ｃ及び第２の膨み部５ｅの裏面は凹状であり、膨み部５ｃ、５ｅは肉薄となっている。従って、第１の膨み部５ｃ及び第２の膨み部５ｅを上部から押圧した際は、変形し易くなっている。
【００１７】
挿入端５ｄは、側面が半円の円弧状をしており、（ｂ）の平面図の挿入端５ｄの先端の中央には突片部５ｆが形成され、（ｃ）の底面図の挿入端５ｄの先端の中央には膨出片５ｇが形成されている。この膨出片５ｇは斜め方向に多少偏って膨出された円弧形状とされ、溝部５ｂの挿入端５ｄの側端部には円形の軸受部５ｈが形成されている。
【００１８】
第１の竿部４に第２の竿部５を連結するには、第２の竿部５の挿入端５ｄを第１の竿部４の主軸４ｂに挿入すると、第１の竿部４の軸部４ｈが第２の竿部５の溝部５ｂに嵌合し、第２の竿部５を軸部４ｈに沿って挿入端５ｄがストッパ壁４ｄに当接するまで押し込むことができる。
【００１９】
この押し込み動作は第２の竿部５の伸長状態から縮少状態に移行する際も同様であり、第２の竿部５は第１の竿部４に対してクリック感を持って停止し、第２の竿部５を第１の竿部４から強く引かない限り不時に抜け出すことがないように係止される。
【００２０】
クリック感は第２の竿部５の溝部５ｂの一部に形成された第１の膨み部５ｃを第１の竿部４の軸部４ｈの側部が乗り越えることにより得られ、またこれにより押し込まれた第２の竿部５は、第１の竿部４に対し係止される。このように、第２の竿部５が縮少した状態において、第２の竿部５が第１の竿部４に対し、略Ｕ字状の開口から下方に落下しないように、第１の竿部４の係止片４ｅにより係止されている。
【００２１】
本実施例の吊掛け具を、例えば台所の壁に取り付けて使用する際には、壁の平滑面に吸着盤を固定し、これらの吸着盤に設けた突起を基部１の孔部１ａ、１ｂの大径部に引っ掛け、次に基部１を下方に移動して突起を孔部１ａ、１ｂの細径部により固定する。或いは、壁に２本のビスをねじ込み、これらのビスの頭部を基部１の孔部１ａ、１ｂの大径部に引っ掛け、次に基部１を下方に移動してビスを孔部１ａ、１ｂの細径部により固定する。
【００２２】
なお、ビス止め以外にも、孔部１ａ、１ｂに代えて接着剤を塗布した平面状の接着シートや平面状のマグネットを取り付けて、吊掛け具を壁面に接着したり、金属板に貼り付けるようにしてもよい。
【００２３】
掛竿３を伸長するには、第２の竿部５の先端部を持って引き出すと、第１の竿部４の軸部４ｈに第２の竿部５の溝部５ｂが沿って図５に示すように引き出され、十分に延長されると、クリック感を持って係止される。
【００２４】
クリック感は第１の竿部５の溝部５ｂの一部に形成された第２の膨み部５ｅを第１の竿部４の軸部４ｈの側部が乗り越えることにより得られ、またこれにより第２の竿部５は第１の竿部４に係止される。
【００２５】
このようにして、伸長した掛竿３はそれぞれ図５に示すように水平方向に回動可能であり、図６に示すように掛竿３に例えば濡れた布巾Ｃを吊るし、落下しないように係止部４ａにより布巾Ｃの一部を挟み、吊り下げて乾かす。複数の布巾Ｃを乾かす場合は、それぞれの掛竿３をずらしながら配置し、それぞれの掛竿３に布巾Ｃを吊り下げる。また、滑止部５ａは布巾Ｃが前方にずり落ちないように係止する役割を有している。
【００２６】
図５に示す状態において、第２の竿部５を第１の竿部４に対し、図７に示すように上方にのみ回動して折曲することができる。この回動は軸部４ｈを中心に溝部５ｂの軸受部５ｈを回動することにより行うことができる。なお、張出部４ｇの存在により第２の竿部５の下方への屈曲を防止されている。
【００２７】
第２の竿部５の回動は、所定角度でクリック感を持って係止される。クリック感は膨出片５ｇが第１の竿部４に設けた橋絡部４ｊ上を回動時に乗り越えることにより得られ、回動後に第２の竿部５の突片部５ｆの側面が第１の竿部４の橋絡部４ｊに当接し、同時に第１の竿部４の張出部４ｇの基部の切り口４ｆに当接することにより係止される。
【００２８】
膨出片５ｇは斜め方向に多少偏って膨出した円弧形状であるため、折曲に際して第２の竿部５を持ち上げると、膨出片５ｇが第１の竿部４の橋絡部４ｊに引っ掛かった状態となる。このため、第２の竿部５の上方への弱い力が加わったとしても、第２の竿部５が屈曲されることはない。
【００２９】
図８に示すように、第２の竿部５を膨出片５ｇの引っ掛かりに抗して回動させ、第１の竿部４の張出部４ｇの基部の切り口４ｆに当接することにより係止される。起立した第２の竿部５に、例えばペットボトルＰの開口部を挿入して使用する。このようにすると、ペットボトルＰの開口部は下方を向くので、内部の水滴は開口部から流れ落ち、容易に水切りを行うことができる。
【００３０】
複数のペットボトルＰを乾かす場合は、それぞれ第２の竿部５を屈曲した状態の掛竿３をずらしながら配置し、それぞれの第２の竿部５にペットボトルＰの開口部を挿入して使用する。
【００３１】
そして、不使用時には、図１に示すように、第１の竿部４の内部に、第２の竿部５を収納し、更に掛竿３を同一方向に回動して揃えることにより、コンパクトな形状とすることができる。
【００３２】
本実施例においては、第２の竿部５を第１の竿部４に対し、収納した状態、伸長した状態、回動した状態において係止されるので、不時に変形する虞れはなく、被乾燥物を安定して掛けることができる。なお、これらの係止及びクリック感は実施例以外の手段により達成できるようにしても支障はない。
【００３３】
なお、本実施例においては３本の掛竿３を取り付けたが、掛竿３の本数は１本又は２本でも、或いは更に多くの本数であってもよい。
【符号の説明】
【００３４】
１  基部
２  支軸
３  掛竿
４  第１の竿部
４ａ  係止部
４ｃ  軸孔
４ｇ  張出部
４ｈ  軸部
５  第２の竿部
５ａ  滑止部
５ｂ  溝部
５ｆ  軸受部
Ｆ  布巾
Ｐ  ペットボトル
【図１】
0006697239.tif 000002
【図２】
0006697239.tif 000003
【図３】
0006697239.tif 000004
【図４】
0006697239.tif 000005
【図５】
0006697239.tif 000006
【図６】
0006697239.tif 000007
【図７】
0006697239.tif 000008
【図８】
0006697239.tif 000009
【図９】
0006697239.tif 000010